(57)【要約】【課題】図柄表示装置の表示と可動体の動作とによって遊技の興趣を向上させる。【解決手段】可動演出装置Ｍの第２可動体１０２には、該第２可動体１０２が第２上昇位置にある状態で図柄表示装置Ｈの前側に臨む開口部１７５,１７６が、前後に開口するように形成されている。図柄表示装置Ｈの表示部Ｈ１には、第２上昇位置にある第２可動体１０２の開口１７５,１７６に臨む特定領域Ｈ１ａが設定されている。特定領域Ｈ１ａには、可動演出装置Ｍの第２可動体１０２が第２初期位置にある状態で表示される特定表示と、該第２可動体１０２が第２上昇位置にある状態で表示される特定表示とを異ならせる。【選択図】図１９
2014023876.tif 000002
【特許請求の範囲】
【請求項１】
遊技球が流下する遊技領域が前側に設けられた遊技盤と、前記遊技盤の前側に臨み、図柄を変動表示可能な図柄表示装置とを備える遊技機において、
前記図柄表示装置の前側を移動可能な可動体と、
前記可動体を第１位置および第２位置の間で移動させる駆動手段と、
前記可動体に形成されて前後に開口して、可動体が第２位置にある状態で図柄表示装置の前側に臨む開口部と、
前記図柄表示装置における可動体の移動経路と前後に重なる位置に設定された特定領域に特定表示を表示可能な制御手段とを備え、
前記可動体が第１位置にある状態で前側から視認可能な特定領域の特定表示は、前記可動体が第１位置と第２位置との間を移動する途中では可動体に重なって隠されると共に、前記可動体が第２位置にある状態では前記開口部に特定領域が臨んで特定表示が前側から視認し得るように構成した
ことを特徴とする遊技機。
【請求項２】
前記開口部は、第２位置から第１位置に向かう側に開口して、前記可動体が第１位置にある状態で前記駆動手段が開口部の開口内に位置するよう構成した請求項１記載の遊技機。
【請求項３】
前記制御手段は、前記可動体が第１位置にある状態で前記特定領域に表示する特定表示と、前記可動体が第２位置にある状態で前記特定領域に表示する特定表示とを異ならせるよう前記図柄表示装置の表示を制御する請求項１または２記載の遊技機。
【発明の詳細な説明】
【技術分野】
【０００１】
この発明は、図柄表示装置を備えた遊技機に関するものである。
【背景技術】
【０００２】
代表的な遊技機であるパチンコ機は、遊技盤の前側に画成した遊技領域の略中央位置に枠状の枠状装飾部材(所謂センター役物)が配設されており、この枠状装飾部材の開口部を介して複数の図柄を変動表示して図柄変動演出を行なう液晶式やドラム式等の図柄表示装置を後方から臨ませると共に、該遊技盤における枠状装飾部材の下方位置に、パチンコ球(遊技球)の入賞により図柄表示装置での変動を開始させる始動入賞装置や当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂当りが発生し、前記特別入賞装置が開放して多数の賞球を獲得し得るよう構成される。
【０００３】
またパチンコ機では、所要の動作を行なう可動体を備えた可動演出装置を配設し、該可動体を前記図柄表示装置で行なわれる遊技演出に合わせて動作させることにより、視覚的な演出効果を向上させ、遊技の興趣を一層増大するようにしたパチンコ機が知られている(例えば、特許文献１参照)。
【先行技術文献】
【特許文献】
【０００４】
【特許文献１】特開２００７−１９５８７１号公報
【発明の概要】
【発明が解決しようとする課題】
【０００５】
前記図柄表示装置では、リーチ演出等の各種の遊技演出とは別に、遊技に必要な表示情報を表示部に表示している。特許文献１のパチンコ機では、図柄表示装置での遊技演出に合わせて表示部の前側で可動体を動作するものの、遊技に必要な表示情報と関係付けて可動体が動作するものではなく、遊技者が遊技に必要な表示情報を見逃してしまい、遊技の興趣が低下するおそれがある。
【０００６】
すなわち本発明は、従来の技術に係る遊技機に内在する前記課題に鑑み、これを好適に解決するべく提案されたものであって、図柄表示装置の表示と可動体の動作とによって遊技の興趣を向上し得る遊技機を提供することを目的とする。
【課題を解決するための手段】
【０００７】
前記課題を克服し、所期の目的を達成するため、本願の請求項１に係る発明は、
遊技球が流下する遊技領域(20)が前側に設けられた遊技盤(D)と、前記遊技盤(D)の前側に臨み、図柄を変動表示可能な図柄表示装置(H)とを備える遊技機において、
前記図柄表示装置(H)の前側を移動可能な可動体(102)と、
前記可動体(102)を第１位置および第２位置の間で移動させる駆動手段(122)と、
前記可動体(102)に形成されて前後に開口して、可動体(102)が第２位置にある状態で図柄表示装置(H)の前側に臨む開口部(175,176)と、
前記図柄表示装置(H)における可動体(102)の移動経路と前後に重なる位置に設定された特定領域(H1a)に特定表示を表示可能な制御手段とを備え、
前記可動体(102)が第１位置にある状態で前側から視認可能な特定領域(H1a)の特定表示は、前記可動体(102)が第１位置と第２位置との間を移動する途中では可動体(102)に重なって隠されると共に、前記可動体(102)が第２位置にある状態では前記開口部(175,176)に特定領域(H1a)が臨んで特定表示が前側から視認し得るように構成したことを要旨とする。
【０００８】
請求項１の発明によれば、可動体の移動中に一旦隠れた特定表示を、該可動体に形成した開口部から視認可能とするよう構成したので、可動体の動作と特定表示の内容に遊技者の興味を惹きつけることができ、遊技の興趣を向上させ得る。すなわち、動作した可動体の開口部から特定表示が視認可能となるので、特定表示を遊技者に注目させることができ、興趣の向上を図り得る。
【０００９】
請求項２に係る発明では、
前記開口部(175)は、第２位置から第１位置に向かう側に開口して、前記可動体(102)が第１位置にある状態で前記駆動手段(122)が開口部(175)の開口内に位置するよう構成したことを要旨とする。
請求項２の発明によれば、特定表示を視認可能とするために可動体に形成した開口部を、駆動手段を収めるスペースとして兼用するよう構成したので、駆動手段との干渉を回避するための専用の部分を設ける必要がなくなり、可動体の構成を簡略化することができる。また、可動体の移動経路上に駆動手段を配設することが可能となるので、駆動手段や可動体の配設位置等の設計の自由度を高めることができる。
【００１０】
請求項３に係る発明では、
前記制御手段は、前記可動体(102)が第１位置にある状態で前記特定領域(H1a)に表示する特定表示と、前記可動体(102)が第２位置にある状態で前記特定領域(H1a)に表示する特定表示とを異ならせるよう前記図柄表示装置(H)の表示を制御することを要旨とする。
請求項３の発明によれば、あたかも可動体の動作によって特定表示の内容が変化したという感覚を付与することが可能となるので、可動体の動作に遊技者の興味をより一層惹きつけることができる。
【発明の効果】
【００１１】
本発明に係る遊技機によれば、図柄表示装置に表示される特定表示と可動体の動作とに遊技者の興味を惹きつけて、遊技の興趣を向上し得る。
【図面の簡単な説明】
【００１２】
【図１】実施例のパチンコ機を、遊技盤の遊技領域内を省略して示す正面図である。
【図２】実施例のパチンコ機を、前枠を開放すると共に遊技盤の遊技領域内を省略して示す斜視図である。
【図３】可動演出装置の可動体が第２初期位置にある状態で示す遊技盤の正面図である。
【図４】遊技盤の後側に取付けられる設置部材と、該設置部材に取付けられる可動演出装置および前装飾装置とを分離して示す斜視図である。
【図５】可動演出装置の可動体が第２作動位置にある状態で示す遊技盤の正面図である。
【図６】(ａ)は、可動演出装置の可動体が第２作動位置にある状態で示す設置部材の正面図であり、(ｂ)は、表示部に設けられた特定領域を示す説明図である。
【図７】可動体が第２初期位置にある可動演出装置の斜視図である。
【図８】可動体が第２作動位置にある可動演出装置の斜視図である。
【図９】作動体を配設したベース部材から可動体を分離させた可動演出装置と、前装飾装置とを示す斜視図である。
【図１０】ベース部材、作動体、第１作動機構および第２作動機構を分離した状態で示す分解斜視図である。
【図１１】可動体を分解して示す分解斜視図である。
【図１２】前装飾装置の各構成部材を分離して示す分解斜視図である。
【図１３】(ａ)は、可動体が第２初期位置にある可動演出装置の正面図であり、(ｂ)は、(ａ)の状態の可動演出装置の背面図である。
【図１４】図１３(ｂ)の状態において、ベース部材を取除いた状態で示す可動演出装置の背面図である。
【図１５】可動体が第２初期位置にある可動演出装置および前装飾装置を示す右側面図である。
【図１６】可動体が第２作動位置にある可動演出装置の正面図である。
【図１７】図１６の状態において、ベース部材を取除いた状態で示す可動演出装置の背面図である。
【図１８】可動体が第２作動位置にある可動演出装置および前装飾装置を示す右側面図である。
【図１９】(ａ)は、可動演出装置の可動体が第２初期位置にある場合の表示部の特定領域に作動前特定表示を表示した一例を示す説明図であり、(ｂ)は、可動演出装置が作動して可動体が第２作動位置に移動した際に、特定領域に作動前特定表示とは異なる作動後特定表示が表示されることを示す説明図である。
【発明を実施するための形態】
【００１３】
次に、本発明に係る遊技機につき、好適な実施例を挙げて、添付図面を参照しながら以下詳細に説明する。なお、遊技機としては、一般的なパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１４】
(パチンコ機)
実施例に係るパチンコ機Ｐは、図１および図２に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。そして、図３に示すように、遊技盤Ｄの裏側に、所定条件の成立(後述する第１始動入賞装置２７の始動入賞口２７Ａまたは第２始動入賞装置２８の始動入賞口２８Ａへのパチンコ球(遊技球)の入賞)を契機として演出用の図柄(以下飾図という)を変動表示させて図柄変動演出を行なう演出実行手段としての図柄表示装置Ｈが着脱可能に配設されている。また、中枠Ｂの前面側には、遊技盤Ｄを透視保護するガラス板や透明な合成樹脂材により形成された透視保護板１１で前後に開口する窓部１０を覆うよう構成された装飾枠としての前枠Ｃが開閉可能に組み付けられると共に、該前枠Ｃの下部前側に、パチンコ球を貯留する上球皿Ｅおよび下球皿Ｆが組み付けられており、前枠Ｃの開閉に合わせて上球皿Ｅおよび下球皿Ｆも一体的に開閉するよう構成される。前枠Ｃには、図１に示すように、窓部１０の外周を囲繞するようランプ装置１２が配設されると共に、該前枠Ｃの上部左右に、音声や効果音を出力可能なスピーカ１３が配設されている。すなわち、ランプ装置１２に設けられたＬＥＤ等の発光体(図示せず)を点灯・点滅したり、スピーカ１３から適宜の音声を出力することで、図柄表示装置Ｈの表示部Ｈ１での図柄変動演出に合わせて発光演出や音声演出を行い得るよう構成されている。
【００１５】
また、図１および図２に示すように、前記中枠Ｂの右下方位置には、該中枠Ｂに配設された打球発射装置Ｊを作動する操作ハンドルＧが設けられており、該操作ハンドルＧの回転操作により打球発射装置Ｊが作動されることで、上球皿Ｅに貯留されたパチンコ球が所定間隔で１球ずつ前記遊技盤Ｄに向けて連続的に発射されるようになっている。なお実施例では、図柄表示装置Ｈとして、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の表示装置も採用可能である。また、上球皿Ｅは、前枠Ｃと別体に形成して中枠Ｂに対して開閉可能に組み付けるようにしてもよい。
【００１６】
(遊技盤)
前記遊技盤Ｄは、図２および図３に示すように、アクリルやポリカーボネート等の光透過性の合成樹脂製板やベニア等の木製合板を材質とし、中枠Ｂに設けた遊技盤保持部Ｂ１の内縁形状に整合する外縁形成された略矩形の平板状に形成され、その前側には遊技領域２０が設けられると共に、その後側には設置部材４０(図４参照)が配設されている。遊技盤Ｄの前側には、左下部から右上部にかけて円弧状に延在する外レール２１と、この外レール２１の内側に中央下部から左上部にかけて並べて配置された内レール２２と、外レール２１の右上部から内レール２２の下部までの間に右方へ凹む湾曲形状に構成された盤面飾り部材２３等が配設されており、両レール２１,２２および盤面飾り部材２３で囲まれた内側が遊技領域２０として構成されている。これにより、打球発射装置Ｊから発射されたパチンコ球は、外レール２１と内レール２２との間を通って遊技領域２０の左上部に打ち出された後、該遊技領域２０内を流下する。そして、遊技領域２０の最下部位置には、該遊技領域２０に打ち出されたパチンコ球を排出するアウト口２４が開設されている。
【００１７】
前記遊技盤Ｄには、中央に大きな貫通口が形成され、図３に示すように、前後に開口して遊技演出領域とされる表示窓口２５Ａが形成されたセンター役とも称される枠状装飾部材２５が、該貫通口の開口縁に配設されている。この枠状装飾部材２５には、設置部材４０の後側に着脱可能に配設された図柄表示装置Ｈ(図４では図示省略)の表示部Ｈ１で演出表示される遊技内容に合わせた装飾が施されている。そして、枠状装飾部材２５の表示窓口２５Ａには、設置部材４０に配設された図柄表示装置Ｈの表示部Ｈ１や、該設置部材４０の前側に配設される後述の可動演出装置Ｍおよび前装飾装置Ｎ(図４参照)や、その他の演出装置および装飾部品等が臨んでいる。また、枠状装飾部材２５の表示窓口２８Ａに臨む下側部分には、透明な部材から形成された透明保護部材３７が配設されている。この透明保護部材３７は、枠状装飾部材２５の左部に形成された球通入口２５Ｂから該枠状装飾部材２５の表示窓口２５Ａ内へ入ったパチンコ球が、該枠状装飾部材２５の後方へ落下するのを防止すると共に、該パチンコ球を第１始動入賞装置２７の上方へ通出する球通出樋部３８が設けられている。また透明保護部材３７は、図柄表示装置Ｈの表示部Ｈ１の下部と前後に重なっているが、透明部材であるから表示部Ｈ１の透視を阻害せず、該表示部Ｈ１における表示演出内容を適切に視認し得る。なお、枠状装飾部材２５と盤面飾り部材２３との間には、パチンコ球の流下が可能な流下経路２６が形成されている。
【００１８】
また、前記遊技盤Ｄは、図３に示すように、貫通口の真下に第１始動入賞装置２７が配設されると共に該貫通孔の右下縁部(枠状装飾部材２５の右下部)に第２始動入賞装置２８が配設され、枠状装飾部材２５の右下部に特別入賞装置２９が配設され、更に第１始動入賞装置２７の左側に普通入賞装置３０が配設されている。すなわち特別入賞装置２９は、枠状装飾部材２５の右側に形成された流下経路２６の下方に位置している。そして、遊技盤Ｄの遊技領域２０内には、多数の球案内釘３１および回転球案内具３２等が配設されている。
【００１９】
(始動入賞装置)
図３に示すように、前記第１始動入賞装置２７は、遊技領域２０内で常に上方へ開口する常時開放タイプの第１始動入賞口２７Ａを備えている。また、前記第２始動入賞装置２８は、所定の駆動手段により第２始動入賞口２８Ａを開閉可能に構成された開閉部材２８Ｂが設けられており、該開閉部材２８Ｂが第２始動入賞口２８Ａを閉鎖する閉鎖位置と開放する開放位置に変位するよう構成されている。すなわち、第１始動入賞口２７Ａは、遊技領域２０を流下するパチンコ球が常時一定の確率で入賞可能に構成され、第２始動入賞口２８Ａは、流下経路２６に配設された球通過ゲート３６をパチンコ球が通過したことを条件として実施される普図当り判定(普図当り抽選)の結果に応じて開閉部材２８Ｂが開閉することで、パチンコ球の入賞確率を可変し得るよう構成されている。そして、第１始動入賞装置２７には第１始動入賞口２７Ａに入賞したパチンコ球を検出する始動入賞センサが配設されると共に、第２始動入賞装置２８には第２始動入賞口２８Ａに入賞したパチンコ球を検出する始動入賞センサが配設されており、該始動入賞センサによる球検出信号が主制御基板に入力される。そして、各始動入賞センサによるパチンコ球の検出(すなわち第１および第２始動入賞口２７Ａ,２８Ａへのパチンコ球の入賞)を契機として、所定数のパチンコ球が賞球として払い出されるようになっている。
【００２０】
(特別入賞装置)
前記特別入賞装置２９は、図３に示すように、遊技領域２０に開口する特別入賞口２９Ａを開閉自在に閉成する開閉扉２９Ｂを備えており、駆動手段の駆動に伴って開閉扉２９Ｂが閉鎖する閉鎖位置と開放する開放位置に変位するよう構成されている。また、特別入賞装置２９には、前記特別入賞口２９Ａに入賞したパチンコ球を検出する特別入賞センサが設けられており、該特別入賞センサからの球検出信号が主制御基板へ入力される。そして、主制御基板において大当り判定結果が肯定の場合には、図柄表示装置Ｈの表示部Ｈ１において、統括制御基板において決定された変動パターン応じて実行された図柄変動演出の終了後に、遊技者に有利な遊技として特別入賞装置２９の開閉扉２９Ｂが開放制御され、特別入賞口２９Ａに対して多数のパチンコ球が入賞可能となる。
【００２１】
(設置部材)
前記設置部材４０は、図４および図６に示すように、前方に開放する略矩形のバケット状に一体形成された合成樹脂製の部材であって、前側の開放端を遊技盤Ｄの後面に突き合わせて該遊技盤Ｄに取り付けられる。この設置部材４０は、遊技盤Ｄの後面に対して後方から所要の間隔で対向して該遊技盤Ｄの後面を構成する設置壁部４１と、該設置壁部４１の周縁から前方へ延出形成された外周壁部４２と、該外周壁部４２の前端から外方に向けて屈曲形成された縁板部４３等を備えている。すなわち設置部材４０は、外周壁部４２で囲われて遊技盤Ｄ側に開放する前部開口が矩形状に形成されると共に、縁板部４３の外周縁が、遊技盤Ｄの外周縁より一回り小さい形状および大きさで形成されている。そして、設置壁部４１には、図４および図６に示すように、前後に貫通する表示開口４４が形成されており、該設置壁部４１の後側には、前記表示部Ｈ１を臨ませた状態で図柄表示装置Ｈが着脱可能に取り付けられる(図４では、図柄表示装置は図示省略してある)。このような設置部材４０は、縁板部４３を遊技盤Ｄの後面にネジ止めすることで該遊技盤Ｄに固定され、遊技盤Ｄの後面から離間した設置壁部４１の前側に、実施例の可動演出装置Ｍや前装飾装置Ｎ、その他の可動演出装置、装飾部材および各種部材の配設を可能とする空間を画成する。なお、設置壁部４１における表示開口４４の下側部分を下板部４１Ａと指称する。
【００２２】
(図柄表示装置について)
図柄表示装置Ｈは、各種図柄を表示可能な表示部Ｈ１をなす液晶パネルが収容ケースに収容されたユニット部材であって、該収容ケースの後面には、該図柄表示装置Ｈの表示部Ｈ１の表示制御を行なう前記表示制御基板が収容された表示制御装置と、当該パチンコ機Ｐの遊技演出を統括的に制御する統括制御基板が基板ケースに収容されて配設されている(図示せず)。図柄表示装置Ｈの表示部Ｈ１には、飾図を変動表示可能な図柄列が複数列(例えば３列)設定されており、第１始動入賞口２７Ａまたは第２始動入賞口２８Ａへの入賞を契機として、各図柄列の飾図が変動開始されると共に背景画像等が表示され、選択された図柄変動演出(リーチ演出や外れ演出等)を行なった後に、予め決定された最終停止図柄を、入賞ライン上に停止表示するようになっている。そして、実施例の図柄表示装置Ｈの表示部Ｈ１には、図６に示すように、該表示部Ｈ１の中央下部に、左右に離間して設定された２つの特定領域Ｈ１ａ,Ｈ１ａを備えている。これら特定領域Ｈ１ａ,Ｈ１ａは、図５および図６に示すと共に後述するように、可動演出装置Ｍの作動により該可動演出装置Ｍの可動体１０２の第２装飾部材１１４が表示部Ｈ１の下方から上昇移動して該表示部Ｈ１の前側に位置した際に、該第２装飾部材１１４に設けられた２つの開口部１７５,１７６を介して視認される位置に設けられている。
【００２３】
(主制御基板について)
当該パチンコ機Ｐの遊技を総合的に制御する前記主制御基板は、設置部材４０における設置壁部４１の裏側下部(図柄表示装置Ｈの配設位置の下側)に、基板ケースに収容されて配設されている。主制御基板は、制御動作を所定の手順で実行することができるメイン制御ＣＰＵ、メイン制御ＣＰＵの制御プログラムを格納するメイン制御ＲＯＭおよび必要なデータの書き込みおよび読み出しができるメイン制御ＲＡＭを備えている。
【００２４】
前記主制御基板は、大当り判定用乱数、大当り図柄用乱数、変動パターン振分用乱数、普図当り判定用乱数等の各種乱数の値を所定の周期毎に更新し、更新後の値をメイン制御ＲＡＭの設定領域に記憶(設定)することで更新前の値を書き換えており、乱数更新処理(乱数生成処理)を実行するようになっている。例えば、主制御基板では、第１始動入賞装置２７または第２始動入賞装置２８の始動入賞検出センサから検出信号が入力されると、メイン制御ＣＰＵがメイン制御ＲＯＭから大当り判定用乱数を取得し、この大当り判定用乱数とメイン制御ＲＯＭに記憶されている大当り判定値とを比較し、大当りとするか否かの大当り判定(大当り抽選)を行なう。また主制御基板では、大当り判定の結果が肯定の場合には、大当り演出のみが含まれる変動パターンテーブルから大当り演出用の変動パターンを決定する。これに対して、大当り判定の結果が否定の場合には、はずれ演出のみが含まれる変動パターンテーブルからはずれ演出用の変動パターンを決定する。大当り演出用およびはずれ演出用の変動パターンの決定は、大当り判定と同様に、メイン制御ＣＰＵがメイン制御ＲＯＭから取得した乱数により行なう。なお、変動パターンテーブルから決定される大当り演出およびはずれ演出の変動パターンは、少なくとも図柄変動ゲームの変動時間および演出内容を特定するものである。そして、パチンコ機Ｐでは、主制御基板の大当り判定の結果に応じて出力された統括制御基板の制御信号に基づいて、図柄表示装置Ｈに所定の演出表示を行なわせると共に、主制御基板の制御により出力された球払出しに係る制御信号に基づいて、図示しない球払出し装置によって所定数の賞球が払い出される。また、パチンコ機Ｐでは、統括制御基板の制御信号に基づいて、可動演出装置Ｍを作動させるよう構成される。
【００２５】
(統括制御基板について)
前記統括制御基板には、統括制御ＣＰＵが備えられると共に、該統括制御ＣＰＵには、統括制御ＲＯＭおよび統括制御ＲＡＭが接続されている。また、統括制御ＣＰＵは、実行可否判定用乱数や動作演出パターン抽選用乱数等の各種乱数の値を所定の周期毎に更新し、更新後の値を統括制御ＲＡＭの設定領域に記憶(設定)して更新前の値を書き換えている。更に、統括制御ＲＯＭには、図柄表示装置Ｈの表示部Ｈ１における演出内容を制御する表示制御基板、ランプ装置１２を制御するランプ制御基板、スピーカ１３を制御する音制御基板等を統括的に制御するための統括制御プログラムや、可動演出装置Ｍを作動制御する制御プログラム等が記憶されている。
【００２６】
前記統括制御ＣＰＵは、各種制御コマンドを入力すると、統括制御プログラムに基づき各種制御を実行する。例えば、統括制御基板では、主制御基板のメイン制御ＣＰＵから変動パターン指定コマンドが入力されると、統括制御ＣＰＵが統括制御ＲＯＭから実行可否判定用乱数を取得し、この実行可否判定用乱数と統括制御ＲＯＭに記憶されている実行可否判定値とを比較し、可動体演出を実行するか否かの実行可否判定を行なう。また、統括制御基板では、実行可否判定の結果が肯定の場合には、可動演出装置Ｍを動作させる演出パターンを決定すると共に、該可動演出装置Ｍの作動前に図柄表示装置Ｈの表示部Ｈ１における前記特定領域Ｈ１ａ,Ｈ１ａに表示する「作動前特定表示」と、該可動演出装置Ｍの可動体１０２が第２作動位置へ上昇移動した作動後に該可動体１０２に設けられた開口部１７５,１７６を介して視認される該特定領域Ｈ１ａ,Ｈ１ａに表示する「作動後特定表示」とを各々決定するようになっている。
【００２７】
ここで、前記作動前特定表示および作動後特定表示は、飾図変動演出後に遊技者に有利となる特定条件の成立(すなわち、大当り遊技の発生)に対する期待値を表わす表示であって、統括制御基板には、期待値が異なる作動前特定表示および作動後特定表示が各々複数設定されている。そして統括制御基板は、作動前特定表示および作動後特定表示を決定するに際し、作動前特定表示の期待値以上の期待値を表わす作動後特定表示を決定するようになっている。これについて、図１９を参照して説明すると、統括制御基板は、例えば可動演出装置Ｍの作動前の表示部Ｈ１の全体が視認可能な状態において、特定領域Ｈ１ａ,Ｈ１ａに作動前特定表示「Ａ」を表示していた場合には(図１９(ａ))、可動演出装置Ｍの作動後では、作動前特定表示「Ａ」の期待値以上の期待値を示す作動後特定表示「Ｂ」を特定領域Ｈ１ａ,Ｈ１ａに表示する(図１９(ｂ))。
【００２８】
なお、作動前特定表示および作動後特定表示は、(ａ)図柄や絵柄を用いて期待値の度合を表わす表示演出、(ｂ)文字(単語や文章)または記号等を用いて期待値の度合を表わす表示演出、(ｃ)数字を用いて期待値の度合を表わす表示演出等があり、表示部Ｈ１の特定領域Ｈ１ａ以外で行なわれる表示演出とは異なる様々な表示演出が行なわれる。また、左右の各特定領域Ｈ１ａ,Ｈ１ａでは、各々が同じ特定表示を行なうように設定したり、各々が個別の特定表示を行なうように設定することが可能である。
【００２９】
(可動演出装置)
次に、前記設置部材４０の設置壁部４１の下板部４１Ａの前面に固定され、枠状装飾部材２５の表示窓口２５Ａ内の下方に位置する実施例の可動演出装置Ｍについて説明する。
【００３０】
実施例の可動演出装置Ｍは、第１初期位置(図７、図１３、図１４)および第１作動位置(図８、図１６〜図１８)の間を移動する作動体１０１と、作動体１０１の移動に伴い第２初期位置(第１位置)(図７、図１３、図１４)および第２作動位置(第２位置)(図８、図１６〜図１８)の間を移動する可動体１０２とを備えている。作動体１０１および可動体１０２は、設置部材４０の下板部４１Ａにおける前面中央に固定されるベース部材１０３に直接配設されており、該作動体１０１は第１作動機構１０４の駆動モータ１２２に連係されると共に、作動体１０１と可動体１０２とは第２作動機構１０５を介して連係している。そして、駆動モータ１２２の駆動により作動体１０１が第１初期位置と第１作動位置との間を移動する際に、これに連動して可動体１０２が第２初期位置と第２作動位置との間を移動するよう構成されている。すなわち、実施例の可動演出装置Ｍは、設置壁部４１の下板部４１Ａに対して縦向きに固定されることで、作動体１０１が第１初期位置と第１作動位置との間を昇降移動し、これに連動して可動体１０２が第２初期位置と第２作動位置との間を昇降移動する。
【００３１】
図８〜図１２に示すように、作動体１０１は、第１昇降部材１１１および第１装飾部材１１２を備えると共に、可動体１０２は、第２昇降部材１１３および第２装飾部材１１４を備えており、当該可動演出装置Ｍを設置部材４０の下板部４１Ａの前面に取付けることで(図４)、第１および第２の各装飾部材１１２,１１４が図柄表示装置Ｈの表示部Ｈ１の下方に位置している(図３)。なお、実施例の可動演出装置Ｍは、作動体４１の動作による第１装飾部材１１２の昇降移動量と、可動体１０２の動作による第２装飾部材１１４の昇降移動量とは同じではなく、第２装飾部材１１４の昇降移動量が第１装飾部材１１２の昇降移動量より大きくなるように構成されている。
【００３２】
(ベース部材)
前記ベース部材１０３は、図９および図１０等に示すように、左右方向に幅広に形成された略矩形状の板状部材であって、作動体１０１、可動体１０２、第１作動機構１０４および第２作動機構１０５等が前面側に配設されている。ベース部材１０３の左端には、可動体の第１初期位置において該可動体１０２に設けられた被検知部１５８(図１１参照)を検知する検知センサ１０６が配設される共に、該ベース部材１０３の右端には、当該可動演出装置Ｍと中継基板(図示せず)とを接続する配線が連結されるコネクタ基板１０７が配設されている。そして、ベース部材１０３には、複数のネジ挿通孔１１５が形成されると共に、各ネジ挿通孔１１５の後側には、設置部材４０の下板部４１Ａに前方へ突出した固定ボス４６(図４参照)に嵌合する位置決め凹部１１６が形成されている。従って、ベース部材１０３は、各位置決め凹部１１６を対応の各固定ボス４６に嵌合させ、ネジ挿通孔１１５を介して前側からネジを該固定ボス４６に締結することで、設置部材４０における設置壁部４１の下板部４１Ａに固定される。
【００３３】
前記ベース部材１０３の前面における左右中央には、図１０、図１４および図１５等に示すように、水平軸周りに回転自在な２つの回転支持ローラ１２０,１２１が、上下に離間して配設されている。上の回転支持ローラ１２０は、ベース部材１０３の上縁近傍に配設され、下の回転支持ローラ１２１は、ベース部材１０３の上下中央より上方に配設されている。これら回転支持ローラ１２０,１２１は、作動体１０１の第１昇降部材１１１に形成された昇降案内孔１３２に係合しており、該昇降案内孔１３２に沿って各回転支持ローラ１２０,１２１が相対的に移動することで、第１初期位置および第１作動位置の間で昇降移動する作動体１０１を支持するようになっている。
【００３４】
(第１作動機構)
前記第１作動機構１０４は、図１０および図１４等に示すように、ベース部材１０３の前面下部左側に配設された駆動モータ１２２と、ベース部材１０３の前側略中央に水平軸周りに回転自在に支持され、駆動モータ１２２に連係されたアーム部材１２５と、第１昇降部材１１１に設けられ、アーム部材１２５と連係する連係孔１３５とを備えている。ここで実施例では、駆動モータ１２２とアーム部材１２５とが、該駆動モータ１２２の駆動軸１２２Ａに固定された駆動ギア１２３と、駆動ギア１２３の上方においてベース部材１０３の前側に水平軸周りに回転自在に支持された中間ギア１２４と、アーム部材１２５に設けられた従動ギア１２６とにより連係されている。アーム部材１２５は、ベース部材１０３の前側略中央に設けられた円形支持部１１７に対して水平軸周りに回転自在に支持されている。
【００３５】
前記アーム部材１２５は、駆動ギア１２３より大径に形成されて、円形支持部１１７が嵌合するガイド孔１２６Ａが形成された従動ギア１２６と、該従動ギア１２６の外周縁から径方向外方へ延出したアーム部１２７と、該アーム部１２７の先端前側に水平軸周りに回転自在に配設された連係ローラ１２８とを備えている。連係ローラ１２８は、作動体１０１の第１昇降部材１１１に左右方向へ延在するよう設けた前記連係孔１３５にスライド移動可能に係合している(図１４、図１６参照)。このようなアーム部材１２５は、円形支持部１１７に支持された状態で、前側から見てアーム部１２７が右下がりに延出した初期回転位置(図９、図１４参照)と、前側から見てアーム部１２７が右上がりに延出した作動回転位置(図１６、図１７参照)との間を、駆動モータ１２２の駆動により約９０度の範囲で回転するように配設されている。従って連係ローラ１２８は、アーム部材１２５の回転により、ベース部材１０３の前面に対して右方(図１４、図１７では左方)へ凸となる円弧状に移動し、この際に連係孔１３５に沿って往復移動するようになる。
【００３６】
駆動手段としての前記駆動モータ１２２は、図９、図１０および図１３(ｂ)等に示すように、ベース部材１０３に前方へ突出するよう形成されたモータ取付部１１８の前側に、該モータ取付部１１８に形成した軸挿通孔１１８Ａを介して駆動軸１２２Ａを該モータ取付部１１８の後側へ延出させた状態で固定されている。駆動モータ１２２は、例えば正逆回転が可能なステッピングモータ等の電動モータであり、減速用のギアボックスを備え、前述した統括制御基板により駆動制御される。なお、駆動ギア１２３と中間ギア１２４とは、モータ取付部１１８に形成された開口１１８Ｂを介して噛合している(図１０、図１３(ｂ)参照)。ここで、駆動手段としては、電動モータに限らず、流体を使用するアクチュエータや、ロータリーソレノイド等であってもよい。
【００３７】
前記第１作動機構１０４は、アーム部材１２５の初期回転位置において、作動体１０１を第１初期位置に停止保持するようになり(図１３、図１４)、該アーム部材１２５が初期回転位置から作動回転位置へ回転するに従い、作動体１０１を第１初期位置から第１作動位置に上昇移動させる。そして、アーム部材１２５の作動回転位置においては、作動体１０１を第１作動位置に停止する(図１６、図１７)。なお、ベース部材１０３の前面には、図１０および図１３(ｂ)に示すように、アーム部材１２５の初期回転位置においてアーム部１２７に左方から当接して該アーム部材１２５が初期回転位置から左方向へ過回転するのを防止する第１ストッパ１１９Ａと、該アーム部材１２５の作動回転位置においてアーム部１２７に左方から当接して該アーム部材１２５が作動回転位置から左方向へ過回転するのを防止する第２ストッパ１１９Ｂとが形成されている。
【００３８】
(作動体)
前記作動体１０１の第１昇降部材１１１は、図１０および図１４に示すように、上下方向に長い本体部１３０と、該本体部１３０の右縁下部から右方へ延出した連係部１３１とを備えた板状部材である。本体部１３０には、上下に延在する昇降案内孔１３２が形成されており、該昇降案内孔１３２には、前述した２つの回転支持ローラ１２０,１２１がスライド移動可能に嵌合している。この昇降案内孔１３２は、作動体１０１が第１初期位置と第１作動位置との間を昇降移動可能な長さに形成されており、該作動体１０１の第１初期位置においては上の回転支持ローラ１２０が該昇降案内孔１３２の上端１３２Ａに当接する(図１４)と共に、該作動体１０１の第１作動位置においては下の回転支持ローラ１２１が該昇降案内孔１３２の下端１３２Ｂに当接または近接するようになっている(図１７)。また、本体部１３０の左縁および右縁の各々には、上下に延在して第２作動機構１０５を構成する第１ラックギア１３３,１３３が形成されており、左の第１ラックギア１３３には、後述する第２作動機構１０５における左の中間ギア１５０の第１中間ギア１５０Ａが噛合すると共に、右の第１ラックギア１３３には、第２作動機構１０５における右の中間ギア１５０の第１中間ギア１５０Ａが噛合している。各第１ラックギア１３３,１３３は、作動体１０１の昇降移動量より僅かに長い上下長に形成されており、各第１中間ギア１５０Ａ,１５０Ａが常に噛合状態に維持されるようになっている。
【００３９】
前記連係部１３１には、図１０および図１４に示すように、前後に開口すると共に左右方向へ延在する前述の連係孔１３５が形成されている。連係孔１３５には、前述したアーム部材１２５に配設された連係ローラ１２８がスライド移動可能に係合している。なお、符号１３６は、後述する引張りコイルバネ１７８の下端が掛止される下掛止部である。
【００４０】
(第１装飾部材)
作動体１０１の第１装飾部材１１２は、図１０、図１３および図１４に示すように、後方に延出すると共に左右に延在する上面部１３７と、該上面部１３７の前端から下方へ延出すると共に、該上面部１３７より短い長さで左右に延在する前面部１３８とを備えており、上面部１３７の上面および前面部１３８の前面は、所要の意匠形状に形成されると共にメッキ等の表面処理が施されている。上面部１３７の左右長は、可動体１０２の左右の第２昇降部材１１３,１１３の左右配設間隔より小さい。このような第１装飾部材１１２は、第１昇降部材１１１の本体部１３０の上部に対し、前面部１３８の裏側を当接させた状態該第１昇降部材１１１に取付けられている。
【００４１】
(ガイド部材)
前記ベース部材１０３の前面左側には、図９、図１０および図１６に示すように、可動体１０２を構成する２つの第２昇降部材１１３,１１３における左の第２昇降部材１１３を支持する第１ガイド部材１４０が、上下に延在するよう固定されている。また、ベース部材１０３の前面右側には、右の第２昇降部材１１３を支持する第２ガイド部材１４５が、上下に延在するように固定されている。これにより可動体１０２は、第１ガイド部材１４０に左の第２昇降部材１１３が固定されると共に、第２ガイド部材１４５に右の第２昇降部材１１３がスライド可能に支持されることで、第２初期位置と第２作動位置との間を昇降移動可能となっている。
【００４２】
(第１ガイド部材)
前記第１ガイド部材１４０は、図１７に示すように、３段引きタイプのスライドレールであって、所要長のアウタレール１４１と、該アウタレール１４１から上方へスライド可能に取付けられた中間レール１４２と、該中間レール１４２から上方へスライド可能に取付けられたインナレール１４３とから構成されている。第１ガイド部材１４０は、アウタレール１４１に中間レール１４２およびインナレール１４３が収容されて短くなった収容状態と、アウタレール１４１から中間レール１４２が延出すると共に該中間レール１４２からインナレール１４３が延出して長くなった引出し状態とに長さが変化するようになっている。そして、中間レール１４２は、アウタレール１４１に対してボールガイドによりがたつきなく支持されていると共に、インナレール１４３は、中間レール１４２に対してボールガイドによりがたつきなく支持されており、中間レール１４２およびインナーレール１４３はアウタレール１４１から上方へ延出する際に左右方向および前後方向へ振れないように構成されている。また、アウタレール１４１は、ベース部材１０３の前面に対して垂直に延在する向きでネジにより強固に固定されていると共に、インナレール１４３は、可動体１０２の左の第２昇降部材１１３の後側に複数箇所でネジにより強固に固定されている。なお、図９〜図１１では、アウタレール１４１とインナレール１４３とを分離すると共に中間レール１４２を省略した状態で図示してあるが、これはベース部材１０３および左の第２昇降部材１１３に対する第１ガイド部材１４０の固定位置を理解し易く示すためであり、該第１ガイド部材１４０は、実際にはアウタレール１４１、中間レール１４２およびインナレール１４３が分離不能にユニット化されている。
【００４３】
(第２ガイド部材)
第２ガイド部材１４５は、図１０および図１６に示すように、ベース部材１０３の前面に前方へ突出するように形成された固定ボス１２９の前側に固定され、該ベース部材１０３の前面から前方へ離した状態で上下に延在している。そして、第２ガイド部材１４５の右縁には、上下に延在するガイドレール１４６が形成されており、可動体１０２を構成する右の第２昇降部材１１３において左方へ開口するよう形成されたスライド溝１６１が、該ガイドレール１４６に摺動可能に係合している。なお、第２ガイド部材１４５の上端には、引張りコイルバネ１７８の上端が掛止される上掛止部１４７が、左方へ延出した状態に形成されている。
【００４４】
(第２作動機構)
前記第２作動機構１０５は、図１０および図１４等に示すように、第１昇降部材１１１の本体部１３０の端縁に形成された第１ラックギア１３３と、ベース部材１０３に水平軸周りに回転自在に配設されて該第１ラックギア１３３に噛合した中間ギア１５０と、可動体１０２を構成する第２昇降部材１１３に形成され、中間ギア１５０に噛合した第２ラックギア１５２とを備えている。ここで実施例では、第１昇降部材１１１の本体部１３０を挟んで左右両側の各々に、第１ラックギア１３３、中間ギア１５０および第２ラックギア１５２とを備えている。但し、左の第２ラックギア１５２は、可動体１０２における左の第２昇降部材１１３に設けられ、右の第２ラックギア１５２は、該可動体１０２における右の第２昇降部材１１３に設けられている。そして、左右の各中間ギア１５０は、左右対称の関係で配設されていて基本的構成が同じであり、ベース部材１０３の前面に配設されて第１ラックギア１３３に噛合する第１中間ギア１５０Ａと、第１中間ギア１５０Ａより大径に形成され、該第１中間ギア１５０Ａと同一回転軸で一体回転する第２中間ギア１５０Ｂと、ベース部材１０３の前面に配設されて第２中間ギア１５０Ｂと噛合する第３中間ギア１５０Ｃとを備えている。このような第２作動機構１０５は、作動体１０１が第１基準位置と第１作動位置との間をスライド移動するのに伴って各第１ラックギア１３３,１３３が昇降移動するに伴い、各第１ラックギア１３３,１３３に噛合した第１中間ギア１５０Ａが回転することで第２中間ギア１５０Ｂおよび第３中間ギア１５０Ｃが従動回転し、これにより第３中間ギア１５０Ｃに噛合した左右の第２ラックギア１５７,１５２の昇降移動に伴って左右の各第２昇降部材１１３,１１３が昇降移動することで、第１ガイド部材１４０および第２ガイド部材１４５に支持された可動体１０２が第２基準位置と第２作動位置との間をスライド移動するようになっている。
【００４５】
なお、第２作動機構１０５における左右の各中間ギア１５０,１５２は、図１０および図１６に示すように、第１中間ギア１５０Ａと第３中間ギア１５０Ｃとは略同径であるが、第２中間ギア１５０Ｂが第１中間ギア１５０Ａおよび第３中間ギア１５０Ｃより大径となっている。すなわち、第２作動機構１０５は、第１昇降部材１１１の昇降移動により回転する第１中間ギア１５０Ａに対し、該第１中間ギア１５０Ａと同期回転する第２中間ギア１５０Ｂに噛合した第３中間ギア１５０Ｃを増速回転させるよう構成されており、これによって作動体１０１より可動体１０２のほうが昇降移動量および昇降移動速度が大きくなるように設定されている。
【００４６】
(可動体)
前記可動体１０２は、図９、図１１および図１６に示すように、第１ガイド部材１４０のインナレール１４３の前側に固定された左の第２昇降部材１１３と、第２ガイド部材１４５の前側に固定された右の第２昇降部材１１３と、左右の各々の第２昇降部材１１３,１１３の前側に固定された第２装飾部材１１４とを備えている。左の第２昇降部材１１３は、後側に第１ガイド部材１４０のインナレール１４３が固定されると共に前側に第２装飾部材１１４が固定される上下に長い本体部１５６と、該本体部１５６の右縁に上下方向へ延在するように設けられた前述の第２ラックギア１５２とを備えている。左の第２昇降部材１１３に設けられた第２ラックギア１５２は、可動体１０２の昇降移動量より僅かに上下長が長く形成されており、第２作動機構１０５における左の中間ギア１５０の第３中間ギア１５０Ｃが常に噛合状態に維持されている。なお、左の第２昇降部材１１３には、支持本体部１３０の左縁に、可動体１０１が第２初期位置において前述した検知センサ１０６に検知される被検知部１５８が形成されている。
【００４７】
右の第２昇降部材１１３は、前側に第２装飾部材１１４が固定される上下に長い支持本体部１６０と、該支持本体部１３０の左縁に上下方向へ延在するように形成された前述のスライド溝１６１と、該スライド溝１６１の後側に隣接して上下方向に延在するよう形成された前述の第２ラックギア１５２とを備えている。右の第２昇降部材１１３に設けられた第２ラックギア１５２は、可動体１０２の昇降移動量より僅かに上下長が長く形成されており、第２作動機構１０５における右の中間ギア１５０の第３中間ギア１５０Ｃが常に噛合状態に維持されている。
【００４８】
(第２装飾部材)
前記第２装飾部材１１４は、図１１および図１６に示すように、各第２昇降部材１１３,１１３の前側上部に取付けられる上装飾部材１６５と、該上装飾部材１６５の下側に隣接して各第２昇降部材１１３,１１３の前側に取付けられる下装飾部材１６６とを備えている。第２装飾部材１１４は、可動体１０２の第２初期位置において、上装飾部材１６５の上面が図柄表示装置Ｈの表示部Ｈ１の下縁と略同じ高さレベルとなって該表示部Ｈ１の前側から下方へ退避すると共に(図３参照)、下装飾部材１６６の下端最下部位がベース部材１０３の下端と略同じ高さレベルとなる位置まで下降するようになっている(図１３、図１５参照)。また、第２装飾部材１１４は、可動体１０２の第２作動位置において、下装飾部材１６６の下端最下部位がベース部材１０３の上端と略同じ高さレベルとなる位置まで上昇し(図１６、図１８参照)、当該第２装飾部材１１４の全体が図柄表示装置Ｈの表示部Ｈ１の前側に位置するようになっている(図５、図６参照)。
【００４９】
上装飾部材１６５は、左右の各昇降部材１１３,１１３に固定される基材１６７と、該基材１６７の前側に取付けられる装飾カバー部材１６８と、該装飾カバー部材１６８に覆蓋された状態で該基材１６７の前側に配設された照明基板１６９と、基材１６７の上縁左端に配設されて左の第２昇降部材１１３の上部に位置する左上装飾体１７０と、基材１６７の上縁右端に配設されて右の第２昇降部材１１３の上部に位置する右上装飾体１７１とを備えている。装飾カバー部材１６８は、透明な合成樹脂の成形部材を、光の透過が可能な透光領域１６８Ａおよび光の透過が不可能な不透光領域１６８Ｂに分けて、透光領域１６８Ａは、外面を所要の意匠形状に形成すると共に凹凸形状に形成して光拡散機能が付与され、不透光領域１６８Ｂは、外面にメッキ等の表面処理が施されている。なお、照明基板１６９の前面には、光拡散機能を有するレンズ部材１７３が配設されている。また、照明基板１６９は、前述したコネクタ基板１０７に配線を介して接続されており、前述した統括制御基板５１に接続されている。従って、上装飾部材１６５は、照明基板１６９の発光部が点灯または点滅制御されると、カバー部材１６８の透光領域１６８Ａが明輝して、演出効果を高めるように構成されている。なお、装飾カバー部材１６８は、透光領域１６８Ａを構成する部材と不透光領域１６８Ｂを構成部材とを別部材で構成するようにしてもよい。
【００５０】
左上装飾体１７０および右上装飾体１７１は、各々の第２昇降部材１１３,１１３を上方から覆う上面部１７０Ａ,１７１Ａを備えており、図１３(ａ)および図１３(ｂ)に示すように、左上装飾体１７０の上面部１０７Ａおよび右上装飾体１７１の上面部１７１Ａは、作動体１０１および可動体１０２が各々第１初期位置および第２初期位置において、第１装飾部材１１２の上面部１３７と横一列に整列するようになっている。
【００５１】
下装飾部材１６６は、図１１および図１３(ａ)に示すように、所要の意匠形状に形成されると共に、外面に所要の表面処理が施された板状部材である。下装飾部材１６６の上縁は、上装飾部材１６５の下縁形状に合わせて形状に形成され、該下装飾部材１６６の下縁には、前後に開口すると共に下方に開口した２つの開口部１７５,１７６が、左右に離間して形成されている。これら開口部１７５,１７６は、図５および図６に示すように、可動体１０２の第２作動位置において下装飾部材１６６が図柄表示装置Ｈの表示部Ｈ１の前側へ上昇した際に、該表示部Ｈ１に設けられた前述の特定領域Ｈ１ａ,Ｈ１ａに各々臨むようになっており、該特定領域Ｈ１ａ,Ｈ１ａに表示された演出表示内容を前側から視認し得るように構成されている。
【００５２】
また、前記左の開口部１７５は、図１３(ａ)および図１５に示すように、ベース部材１０３に配設した駆動モータ１２２の真上に位置すると共に、該開口部１７５の左縁部１７５Ａおよび右縁部１７５Ｂが略垂直かつ略平行となるように形成され、該開口部１７５の左右開口幅は、駆動モータ１２２の左右幅より大きく設定されている。更に、左の開口部１７５の上縁部１７５Ｃは、駆動モータ１２２の外面形状に合わせて上方へ凸となる湾曲形状に形成されている。従って、可動体１０２が第２作動位置から第２初期位置に下降移動する際には、該可動体１０２と駆動モータ１２２とが接触することが回避されると共に、該可動体１０２が第２初期位置となった場合は、駆動モータ１２２が左の開口部１７５内に位置するよう構成されている。なお、右の開口部１７６は、可動体１０２が第２初期位置にある状態において他部材が位置するようになっていない。
【００５３】
(引張りコイルバネ)
第２ガイド部材１４５に設けられた上掛止部１４７と第１昇降部材１１１に設けられた下掛止部１３６には、作動体１０１を第１作動位置に向けて直接付勢する付勢手段としての引張りコイルバネ１７８が配設されている。引張りコイルバネ１７８は、作動体１０１が第１作動位置まで上昇すると最も短く縮んだ状態に収縮し、作動体１０１が第１初期位置まで下降する最も長く伸びた状態に弾性変形し、該作動体１０１を第１作動位置に付勢する付勢力が最大となる。すなわち、引張りコイルバネ１７８は、作動体１０１および作動体１０１に連係した可動体１０２を第１作動位置および第２作動位置へ上昇移動させる際に駆動モータ１２２の駆動を補助して、該駆動モータ１２２の負荷を軽減するものである。また、引張りコイルバネ１７８を配設したことにより、駆動モータ１２２を、出力の小さい小型のモータの使用が可能となっている。
【００５４】
(前装飾装置)
前記前装飾装置Ｎは、図４に示すように、設置部材４０の設置壁部４１における下板部４１Ａの前面にから前方へ突出した取付ボス４５に対してネジを利用して固定され、可動演出装置Ｍの前側に配設される。前装飾装置Ｎは、図９および図１２に示すように、取付ボス４５に固定されてベース部材１０３の前側に対向配置される基体１８０と、該基体１８０の前面上部左側に配設された左装飾部材１８１と、該基体１８０の前面上部右側に配設された右装飾部材１８２とを備える。左装飾部材１８１および右装飾部材１８２は、左右に離間して基体１８０に配設されている。そして前装飾装置Ｎは、図７に示すように、左装飾部材１８１および右装飾部材１８２が配設される上側部分は可動演出装置Ｍの左右幅より大きく、下側部分は、該可動演出装置Ｍの左右幅と略同じ幅となっている。また、前装飾装置Ｎの上下寸法は、図１５に示すように、作動体１０１および可動体１０２が各々第１および第２の初期位置となっている可動演出装置Ｍの上下寸法よりやや大きくなっている。
【００５５】
(基体)
前記基体１８０は、光の透過が可能な透明な合成樹脂製の板状部材であり、その前面下部に、遊技盤Ｄに形成された第１始動入賞装置２７の始動入賞口２７Ａの後側に整合して入賞球を通出するセーフ球排出樋部材１８５やセンサ１８８等が取付けられている。また、基体１８０の下縁左側に、可動演出装置Ｍの駆動モータ１２２との干渉を回避する円弧状の凹部１８６が形成されている。そして、基体１８０の上部中央には、左装飾部材１８１と右装飾部材１８２との間に、前面および後面が凹凸模様に形成されて光拡散処理が施された光拡散部１８７が形成されており、基体１８０の後側に位置する第２装飾部材１１４の照明基板１６９からの照射光が、該光拡散部１８７を透過して拡散されるようになっている。なお、光拡散部１８７は、図５に示すように、枠状装飾部材２５に配設された透明保護部材３７の後側に位置し、該透明保護部材３７に設けられた球通出樋部３８を後方から明輝させ得るようになっている。
【００５６】
左装飾部材１８１および右装飾部材１８２は、４つの部材１８３Ａ,１８３Ｂ,１８３Ｃ,１８３Ｄを前後に組み合わせて構成される前装飾体１８３と、該前装飾体１８３の後側に配設される照明基板１８４とから構成されている。左右の装飾部材１８１,１８２における前装飾体１８３は、外面が所要の意匠形状に形成されると共に光の透過が可能な透明または半透明な透光領域１８１Ａと、外面にメッキ等の表面処理が施されて光の透過が不可能な不透光領域１８１Ｂとを備え、照明基板１８４が点灯または点滅制御されると、透光領域１８１Ａが明輝されて演出効果が高められるようになっている。なお、左装飾部材１８１および右装飾部材１８２は、枠状装飾部材２５に配設された透明保護部材３７の後側に位置する(図５参照)。
【００５７】
前述のように構成された前装飾装置Ｎは、図３、図７および図１５に示すように、可動演出装置Ｍが非作動状態(第１および第２の各可動体１０１,１０２が各々第１および第２の初期位置となっている状態)では、可動演出装置Ｍを隠して該可動演出装置Ｍが前側から視認されないようにする。また前装飾装置Ｎは、図５、図８および図１８に示すように、可動演出装置Ｍが作動して第１および第２の各可動体１０１,１０２が各々第１および第２の作動位置となった状態では、該可動演出装置Ｍのベース部材１０３、第１昇降部材１１１および第２昇降部材１１３、第１ガイド部材１４０および第２ガイド部材１４５、第１作動機構１０４および第２作動機構１０５を隠して、これらが前側から視認されないようにする。
【００５８】
(実施例の作用)
前述のように構成された実施例のパチンコ機Ｐでは、遊技盤Ｄの遊技領域２０へ打ち出されたパチンコ球が第１始動入賞装置２７の第１始動入賞口２７Ａまたは第２始動入賞装置２８の第２始動入賞口２８Ａに入賞して、該第１始動入賞装置２７または第２始動入賞装置２８に配設された球検知スイッチによる球検知信号を主制御基板が受けると、該主制御基板は、大当り判定を行なうと共に、大当り判定結果に基づく所定の制御信号を統括制御基板に出力する。統括制御基板では、主制御基板からの制御信号に基づき、図柄表示装置Ｈの表示部Ｈ１において図柄変動演出を行なわせる。なお主制御基板は、大当り判定の結果として大当りが発生した場合には、統括制御基板により図柄表示装置Ｈの表示部Ｈ１に所定の図柄組合わせで図柄を停止表示されると、特別入賞装置２９の開閉扉２９Ｂを開放動作させて特別入賞口２９Ａを開放させる。
【００５９】
そして、統括制御基板は、可動演出装置Ｍの作動を伴わない演出パターンを決定した場合には、該可動演出装置Ｍを停止状態としたもとで、図柄表示装置Ｈの表示部Ｈ１において各図柄列の図柄変動演出を行なうと共に、大当り成立に対する期待度を表示する複数の作動前特定表示の中から１つの作動前特定表示を決定して、該決定された作動前特定表示を各特定領域Ｈ１ａ,Ｈ１ａに表示する。
【００６０】
一方、統括制御基板は、可動演出装置Ｍの作動を伴う演出パターンを決定した場合には、図柄表示装置Ｈの表示部Ｈ１に、各図柄列の図柄変動演出を開始すると共に、大当り成立に対する期待度を表示する作動前特定表示の中から１つの作動前特定表示を決定して、該決定された作動前特定表示を各特定領域Ｈ１ａ,Ｈ１ａに表示する。また、統括制御基板は、大当り成立に対する期待度を表示する複数の作動後特定表示の中から、作動前特定表示の期待値以上の期待値を表わす作動後特定表示の中から１つの作動後特定表示を決定する。そして、統括制御基板は、可動演出装置Ｍの駆動モータ１２２を作動させ、作動体１０１を第１初期位置から第１作動位置に向けて上昇移動させ、可動体１０２を第２初期位置から第２作動位置に向けて上昇移動させて第２装飾部材１１４を上昇移動させる。そして、統括制御基板は、例えば可動体１０２が第２初期位置から第２作動位置へ移動する際において、特定領域Ｈ１ａ,Ｈ１ａが上昇移動する第２装飾部材１１４に重なって一旦隠されている間に、該特定領域Ｈ１ａ,Ｈ１ａの特定表示を、作動前特定表示から作動後特定表示に変更する。これにより、表示部Ｈ１の前方に停止した第２装飾部材１１４の開口部１７５,１７６に臨む特定領域Ｈ１ａ,Ｈ１ａには、可動演出装置Ｍの作動前と異なる期待値を表示する作動後特定表示が視認されるようになり、大当り成立に対する遊技者の興味を惹きつけるようにさせる。
【００６１】
また、可動演出部材Ｍは、駆動モータ１２２の停止状態では、図７、図１３〜図１５に示すように、第１作動機構１０４に連係した作動体１０１が第１初期位置に停止保持され、第２作動機構１０５を介して作動体１０１に連係した可動体１０２が第２初期位置に停止保持される。これにより、第１装飾部材１１２の上面部１３７と、第２装飾部材１１４の左上装飾体１７０の上面部１７０Ａおよび右上装飾体１７１の上面部１７１Ａが左右に一列に整列するようになる。すなわち、第１装飾部材１１２および第２装飾部材１１４は、図３に示すように、図柄表示装置Ｈの表示部Ｈ１の前側下方へ退避するから、図柄表示装置Ｈの表示部Ｈ１の演出表示を邪魔しない。
【００６２】
また、可動演出装置Ｍの非作動状態において、前装飾装置Ｎの後側に位置する第２装飾部材１１４の照明基板１６９の発光部を点灯または点滅制御すると、カバー部材１６８の透光領域１６８Ａを介して前方へ照射された光が、前装飾装置Ｎに設けられたが光拡散部１８７を通過するようになる。この際に、照射光が光拡散部１８７で拡散されるから、該光拡散部１８７が明輝されると共に、該光拡散部１８７の前側に位置する透明保護部材３７の球通出樋部３８が明輝されるようになり、球通出樋部３８内を通過するパチンコ球を目立つようにすることができる。
【００６３】
また、前装飾装置Ｎは、可動演出装置Ｍが駆動モータ１２２の駆動により作動体１０１が第１作動位置へ上昇移動し、これに伴って可動体１０２が第２作動位置へ上昇移動した際には、図１６に示すように、ベース部材１０３、第１昇降部材１１１および第２昇降部材１１３、第１ガイド部材１４０および第２ガイド部材１４５、第１作動機構１０４および第２作動機構１０５を隠して、これら部材を前側から見づらくする。
【００６４】
従って、実施例のパチンコ遊技機Ｐによれば、可動演出装置Ｍの可動体１０２が第２初期位置から第２作動位置へ上昇移動する第２装飾部材１１４で一旦隠れた特定領域Ｈ１ａ,Ｈ１ａを、該第２装飾部材１１４に形成した開口部１７５,１７６から視認可能とするよう構成したので、可動演出装置Ｍの動作と特定領域Ｈ１ａ,Ｈ１ａの特定表示の内容に遊技者の興味を惹きつけることができ、遊技の興趣を向上させることが可能である。すなわち、第２作動位置に上昇した可動体１０２における第２装飾部材１１４の開口部１７５,１７６から特定領域Ｈ１ａ,Ｈ１ａの特定表示が視認可能となるので、該特定表示を遊技者に注目させることができ、遊技の興趣の向上を図り得る。
【００６５】
また、可動演出装置Ｍの可動体１０２が第２初期位置から第２作動位置へ上昇移動する間に特定領域Ｈ１ａ,Ｈ１ａの特定表示を、可動前特定表示から可動後特定表示へ変更するようになっているから、あたかも可動演出装置Ｍの動作によってＨ１ａ,Ｈ１ａの特定表示の内容が変化したという感覚を付与することが可能となり、可動演出装置Ｍの動作に遊技者の興味をより一層惹きつけることができる。
【００６６】
また、可動演出装置Ｍは、特定領域Ｈ１ａ,Ｈ１ａの特定表示を視認可能とするために、可動体１０２の第２装飾部材１１４に形成した左の開口部１７５を、ベース部材１０３に配設した駆動モータ１２２を収めるスペースとして兼用するよう構成したので、該駆動モータ１２２との干渉を回避するための専用の部分を設ける必要がなくなり、可動体１０２の構成を簡略化することができる。また、可動体１０２の第２装飾部材１１４の移動経路上に駆動モータ１２２を配設することが可能となるので、駆動モータ１２２や可動体１０２の配設位置等の設計の自由度を高めることができる。
【００６７】
〔変更例〕
本発明に係る遊技機は、実施例に例示の形態に限らず種々の変更が可能である。
（１）実施例では、設置部材４０の設置壁部４１における下板部４１Ａの前側に配設して、図柄表示装置Ｈの表示部Ｈ１の前側に第１および第２の各可動体１０１,１０２が下方から昇降移動するタイプの可動演出装置Ｍを例示したが、該可動演出装置Ｍの配設位置はこれに限定されない。例えば、設置壁部４１における図柄表示装置Ｈの表示部Ｈ１の上方に位置する上板部に配設して、図柄表示装置Ｈの表示部Ｈ１の前側に、各可動体１０１,１０２が上方から昇降移動するタイプであってもよい。また、設置壁部４１における図柄表示装置Ｈの表示部Ｈ１の左方に位置する左板部または該表示部Ｈ１の右方に位置する右板部に配設して、図柄表示装置Ｈの表示部Ｈ１の前側に、各可動体１０１,１０２が側方から往復移動するタイプであってもよい。
（２）特定領域Ｈ１ａ,Ｈ１ａに表示される作動前特定表示に関しては、特定領域Ｈ１ａが表示部Ｈ１全体の一部として、該表示部Ｈ１における特定領域Ｈ１ａ以外の部分で表示される図柄変動演出や背景画像を該特定領域Ｈ１ａで表示するように設定してもよい。
（３）可動体１０２の第２装飾部材１１４に設けられる開口部１７５,１７６は、実施例のように２つに限定されず、１つまたは３つ以上であってもよい。
（４）可動体１０２の第２装飾部材１１４に設けられる開口部１７５は、駆動モータ１２２を収容するようになるものでなければ、第２装飾部材１０４に下端に開口する形状ではなく、該第２装飾部材１０４の前後にのみ開口する形態としてもよい。また、開口部１７５,１７６の配設位置も、第２装飾部材１０４の下端に隣接する部位だけでなく、上端に隣接する部位や左端または右端に隣接する部位や、該第２装飾部材１０４の中央部位において、前後に開口するように形成したものであってもよい。更に、開口部１７５、１７６の開口形状は、円形、楕円形、三角形や四角形等の多角形等であってもよく、楕円形や多角形の場合は、横長や縦長、または左上がりまたは右上がりの傾斜状に形成したものであってもよい。
（５）実施例では、統括制御基板により、特定領域Ｈ１ａにおける可動前特定表示および可動後特定表示を決定する場合を例示したが、該可動前特定表示および可動後特定表示は主制御基板で決定するようにしてもよい。または、可動前特定表示および可動後特定表示は、統括制御基板や主制御基板とは異なる別の制御基板で決定するようにしてもよい。
（６）実施例では、第１ガイド部材１４０として、３段引きタイプのスライドレールを例示したが、該第１ガイド材１４０は、可動体１０２をがたつきなく支持すると共に安定的にスライド移動させ得るものであれば、２段引きタイプのスライドレールや、複数のガイドバーから構成されたもの等であってもよい。
（７）実施例では、遊技機としてのパチンコ機を示したが、遊技機はパチンコ機に限られるものではなく、アレンジボール機やスロットマシン等であってもよい。
【００６８】
遊技機については、実施例から以下の技術的思想を把握することができる。
(付記１)
請求項３に記載の遊技機において、
前記遊技領域(20)を流下する遊技球が入賞可能な始動入賞手段(27,28)と、該始動入賞手段(27,28)への入賞を契機として当りか否かを判定する当り判定手段とを備え、該当り判定手段での判定結果が肯定の場合は、図柄変動演出の終了後に遊技者に有利な遊技を行なうよう構成され、
前記特定表示は、表示形態が異なる複数の可動前特定表示および各可動前特定表示の夫々に対応するよう設定されると共に前記当り判定手段の判定結果が肯定である期待値が異なる複数の可動後特定表示を含み、
前記制御手段は、前記可動体(102)が第１位置にある状態では、複数の可動前特定表示から決定した１つの可動前特定表示を特定領域に表示すると共に、前記可動体(102)が第２位置にある状態では、可動体(102)が第１位置にある状態で特定領域に表示されていた可動前特定表示に対応する複数の可動後特定表示から決定した１つの可動後特定表示を特定領域に表示するよう構成する。
付記１の発明によれば、当りとなっている期待値が異なる特定表示を特定領域に表示することで、可動体が動作することに対する遊技者の興味を高めることができる。
【００６９】
(付記２)
請求項１〜３または付記１の何れか一項に記載の遊技機において、
前記可動体(102)と駆動手段(122)とを連繋し、前記駆動手段(122)によって可動体(102)を移動させる作動機構(104,105)と、
第１位置の前記可動体(102)の前側に対向位置する装飾体(N)と、
前記装飾体(N)に設けられ、光拡散処理が施された透光部(167)と、
前記開口部(175,176)に近接して可動体(102)に設けられ、該可動体(102)が第１位置にある状態では前記透光部(167)の後側に重なる発光部(169)とを備え、
前記可動体(102)が第１位置から第２位置に移動した際に、該作動機構(104,105)の前側に前記透光部(167)が重なるよう構成する。
付記２の発明によれば、可動体を第２位置に移動した際には、光拡散処理が施された透光部によって作動機構を前側から見ずらくしたので、見栄えの低下を抑制し得る。また、透光部は、可動体の第１位置では発光部からの光を拡散して明輝することで発光演出効果を向上するものであるので、専ら作動機構を隠すための構成を別途設ける必要はなく、構成を簡略化することができる。
【符号の説明】
【００７０】
２０ 遊技領域，１０２ 可動体，１２２ 駆動モータ(駆動手段)
１７５,１７６ 開口部，Ｄ 遊技盤，Ｈ 図柄表示装置，Ｈ１ａ 特定領域
【図１】
2014023876.tif 000003
【図２】
2014023876.tif 000004
【図３】
2014023876.tif 000005
【図４】
2014023876.tif 000006
【図５】
2014023876.tif 000007
【図６】
2014023876.tif 000008
【図７】
2014023876.tif 000009
【図８】
2014023876.tif 000010
【図９】
2014023876.tif 000011
【図１０】
2014023876.tif 000012
【図１１】
2014023876.tif 000013
【図１２】
2014023876.tif 000014
【図１３】
2014023876.tif 000015
【図１４】
2014023876.tif 000016
【図１５】
2014023876.tif 000017
【図１６】
2014023876.tif 000018
【図１７】
2014023876.tif 000019
【図１８】
2014023876.tif 000020
【図１９】
2014023876.tif 000021